(57)【要約】【課題】  ユーザーが行った操作、発生したイベント、予定等に対応した処理の情報を表示し、更に同時にスケジュールを表示することで、操作および操作の対象となったデータを効率的に検索操作する。【解決手段】  週間スケジュールの表示画面では、スケジュールが存在する日および処理情報が存在する日に時間およびスケジュール概要および処理情報（１１Ａ）が表示される。【選択図】  図１１
2005275833.tif 000002
【特許請求の範囲】
【請求項１】
カレンダ形式表示を実行し得るカレンダ形式表示手段を備えた情報処理装置において、  処理情報を時間要素とともに記憶する処理情報データベースと、  前記処理情報を前記処理情報データベースに格納する処理情報格納手段と、  前記カレンダ形式表示における前記時間要素に対応した位置に、前記処理情報データベースに格納された処理情報を、表示する処理情報カレンダ形式表示手段と、  を備えたことを特徴とする情報処理装置。    
【請求項２】
前記処理情報カレンダ形式表示手段は、  前記処理情報に基いて表示形態を設定する処理対象データ種類表示形態作成手段を備えたことを特徴とする請求項１記載の情報処理装置。    
【請求項３】
前記処理情報カレンダ形式表示手段は、  前記表示形態が設定できなかったときは、前記処理対象データ種類表示形態作成手段により作成された表示形態を採用することを特徴とする請求項２記載の情報処理装置。    
【請求項４】
前記カレンダ形式表示手段は、スケジュールデータを表示するスケジュール表示手段を備え、これによって、前記処理情報を前記スケジュールデータを同時に表示し得ることを特徴とする請求項１乃至３のいずれかに記載の情報処理装置。    
【請求項５】
前記カレンダ形式表示手段表示期間を設定可能であることを特徴とする請求項１乃至４のいずれかに記載の情報処理装置。    
【請求項６】
処理に対応した処理情報を記憶した処理情報データベースと、  前記処理情報を前記処理情報データベースに格納する処理情報格納手段と、  前記処理情報を表示する処理情報表示手段と、  を備えた処理情報表示装置において、  前記処理情報表示手段は、  前記処理情報の処理の種類に基いて表示形態を作成する処理種類表示形態作成手段と、  前記処理情報のデータの種類に基いて表示形態を作成する処理対象データ表示形態作成手段と、  前記処理種類表示形態作成手段および処理対象データ表示形態作成手段によって作成された表示形態を合成する表示形態合成手段と、  を備え、  前記処理情報表示手段によって、合成された表示形態を表示することを特徴とする情報処理装置。    
【請求項７】
前記表示形態合成手段は、前記処理対象データ種類表示形態作成手段により表示形態が作成できなかったときに、前記処理対象データ種類表示形態作成手段により作成された表示形態を採用することを特徴とする請求項６記載の情報処理装置。    
【請求項８】
前記処理情報表示手段は、  表示対象となる前記処理情報の種類を指定するための処理種類指定手段と、  前記処理種類指定手段により指定された表示対象かどうか判定する表示対象判定手段と、  を備え、  前記表示対象判定手段により表示対象と判定された処理情報のみ表示することを特徴とする請求項６または７記載の情報処理装置。    
【請求項９】
前記処理種類指定手段は、複数の処理種類のいずれかであることを指定することを特徴とする請求項８記載の情報処理装置。    
【請求項１０】
前記処理種類指定手段は、複数の処理種類の全てであることを指定することを特徴とする請求項８記載の情報処理装置。    
【請求項１１】
前記処理種類指定手段は、特定の処理種類以外のすべての処理種類を指定することを特徴とする請求項８記載の情報処理装置。    
【請求項１２】
前記処理情報表示手段は、処理情報をカレンダ形式で表示することを特徴とする請求項６乃至９のいずれかに記載の情報処理装置。    
【請求項１３】
カレンダ形式表示を実行するカレンダ形式表示ステップと、  時間要素とともに処理情報を処理情報データベースに格納するステップと、  前記処理情報を、カレンダ形式表示における、前記時間要素に対応した位置に、表示するステップと、  を備えたことを特徴とする情報処理方法。
【請求項１４】
請求項１３記載の情報処理方法をコンピュータに実行させるプログラムコードを含むコンピュータ実行可能なプログラム。
【請求項１５】
請求項１４記載のコンピュータ実行可能なプログラムが格納されたコンピュータ読み取り可能な記憶媒体。
【発明の詳細な説明】
【技術分野】
【０００１】
本発明は、時系列データを管理、表示する情報処理装置に関する。
【背景技術】
【０００２】
従来の情報処理装置においてスケジュールデータをカレンダ形式で表示するものがある。
【０００３】
例えば図４１のフローチャートに示すように、ステップＳ４１０１でカレンダ枠を表示し、ステップＳ４１０２でスケジュールデータを取得し、ここで取得したスケジュールデータを、ステップＳ４１０３でスケジュールデータ群の先頭に初期化し、ステップＳ４１０５で先頭のスケジュールデータを前記カレンダ枠に表示する。またステップＳ４１０６で対象を進め、ステップＳ４１０４で終了判断を行う。      
【０００４】
図４１の処理によって表示されるスケジュールデータは、例えば図４２のとおり、開始時間（ｓｔａｒｔ）、終了時間（ｅｎｄ）および要約（ｓｕｍｍａｒｙ）によって構成される。      
【０００５】
図４３〜図５０は前記カレンダ形式表示の画面の一例である。      
【０００６】
図４３は年間スケジュールの表示画面の一例であり、スケジュールが存在する日にマークがされている。      
【０００７】
図４４は月間スケジュールの表示画面の一例であり、スケジュールが存在する日にスケジュール概要が表示されている。      
【０００８】
図４５は週間スケジュールの表示画面の一例であり、スケジュールが存在する日に時間およびスケジュール概要が表示されている。      
【０００９】
図４６は日間スケジュールの表示画面の一例であり、時間およびスケジュール概要が表示されている。      
【００１０】
図４７は時間軸年間スケジュールの表示画面の一例であり、スケジュールが存在する日にマークがされている。      
【００１１】
図４８は時間軸月間スケジュールの表示画面の一例であり、スケジュールが存在する日にスケジュール概要が表示されている。      
【００１２】
図４９は時間軸週間スケジュールの表示画面の一例であり、スケジュールが存在する日の該時間帯にスケジュール概要が表示されている。      
【００１３】
図５０は時間軸日間スケジュールの表示画面の一例であり、該時間帯にスケジュール概要が表示されている。
【００１４】
このように従来の情報処理装置は、スケジュールデータをカレンダ形式で表示し、その検索操作を可能としていたが、スケジュールデータ以外の時系列データにた対応していなかった。例えば、ユーザーが行った操作、発生したイベント、予定等に対応した処理の情報を、カレンダ形式で表示することはできず、効率的検索操作は不可能であった。
【００１５】
また、時間と関連付けられていないデータ、例えば文書データはカレンダ形式で表示することができないため、スケジュールデータと関連した表示が不可能であり、スケジュールを手がかりとした検索操作ができなかった。
【００１６】
そこで特許文献１の情報検索装置は、文書データを時系列管理し、カレンダ形式表示する。しかし、ユーザーが行った操作、発生したイベント、予定等に対応した処理の情報はカレンダ形式表示できず、また文書データとスケジュールを同時表示できないため、スケジュールを手がかりにした検索操作ができなかった。      
【００１７】
また、特許文献２のスケジュール管理システムは、スケジュールデータに他のファイルを関連付けて記憶させ、スケジュールから関連ファイルを一覧表示する。しかし、明示的に関連付けられていないデータの検索操作は不可能であり、関連付けられているファイルの一覧を表示する際に、別途操作が必要であった。      
【００１８】
また、特許文献３の表示装置付き制御端末装置は、各種データを表示可能ではあるが、ユーザーが行った操作、発生したイベント、予定等に対応した処理の情報を、カレンダ形式表示することはできない。またこれらデータとスケジュールを同時に表示できないため、スケジュールを手がかりにした検索操作は不可能である。      
【００１９】
また、特許文献４の顧客分析システムは、販売実績データを表示し得るが、ユーザーが行った操作、発生したイベント、予定等に対応した処理の情報を、カレンダ形式表示することができない。またこれらデータとスケジュールを同時に表示できないため、スケジュールを手がかりにした検索操作は不可能である。      
【００２０】
また、特許文献５の文書提示装置は、指定されたデータに対して行われた操作の履歴を、操作種別に応じたアイコン形式で表示することで、操作種別による直感的な検索を可能としている。しかし、データと操作種別を組み合わせた検索は不可能であり、当然、データと操作種別を組み合わせたアイコン表示も不可能であった。      
【００２１】
また、特許文献６の電子ファイル検索装置は、操作種別を指定したデータ検索が可能であるが、単に検索キーとして操作種別を与えているだけであり、直感的な操作による操作種別の指定や、それらに連動した表示も不可能であった。
【００２２】
【特許文献１】特開平５−０３５７３７号公報
【特許文献２】特開平７−２８２１２９号公報
【特許文献３】特開２０００−３５７０３７号公報
【特許文献４】特開２００１−２４９９８３号公報
【特許文献５】特開平８−０７７１４５号公報
【特許文献６】特開２０００−１６３４３９号公報
【発明の開示】
【発明が解決しようとする課題】
【００２３】
本発明はこのような従来の問題点を解消すべく創案されたもので、スケジュール以外の時系列のデータの、スケジュールに関連した表示を可能とすることを目的がある。
【００２４】
さらに本発明は、スケジュールに関連したデータの明瞭な表示を可能とする。
【発明の効果】
【００２５】
本発明によれば、スケジュール以外の時系列のデータの、スケジュールに関連した表示が可能である。
【課題を解決するための手段】
【００２６】
本発明は、カレンダ形式表示を実行し得るカレンダ形式表示手段を備えた情報処理装置において、処理情報を時間要素とともに記憶する処理情報データベースと、前記処理情報を前記処理情報データベースに格納する処理情報格納手段と、前記カレンダ形式表示における前記時間要素に対応した位置に、前記処理情報データベースに格納された処理情報を、表示する処理情報カレンダ形式表示手段とを備える。      
【００２７】
これによって、スケジュール以外の時系列のデータの、スケジュールに関連した表示が可能である。      
【００２８】
本発明は、処理に対応した処理情報を記憶した処理情報データベースと、前記処理情報を前記処理情報データベースに格納する処理情報格納手段と、前記処理情報を表示する処理情報表示手段とを備えた処理情報表示装置において、前記処理情報表示手段は、前記処理情報の処理の種類に基いて表示形態を作成する処理種類表示形態作成手段と、前記処理情報のデータの種類に基いて表示形態を作成する処理対象データ表示形態作成手段と、前記処理種類表示形態作成手段および処理対象データ表示形態作成手段によって作成された表示形態を合成する表示形態合成手段とを備え、前記処理情報表示手段によって、合成された表示形態を表示する。これによって、スケジュール以外の時系列のデータの、スケジュールに関連した表示が可能である。      
【００２９】
本発明に係る情報処理方法は、カレンダ形式表示を実行するカレンダ形式表示ステップと、時間要素とともに処理情報を処理情報データベースに格納するステップと、前記処理情報を、カレンダ形式表示における、前記時間要素に対応した位置に、表示するステップと、を備える。これによって、スケジュール以外の時系列のデータの、スケジュールに関連した表示が可能である。
【発明を実施するための最良の形態】
【００３０】
次に本発明に係る情報処理装置の好適な実施例を図面に基いて説明する。
【実施例１】
【００３１】
図１は本発明に係る情報処理装置の実施例１のハードウェア構成を示すブロック図である。      
【００３２】
図１において、情報処理装置はバス６に接続されたＣＰＵ２を有し、ＣＰＵ２は各種処理のための演算、論理判断等を実行するとともに、バス６に接続された各構成要素を制御する。バス６には情報（データ）を入力するための入力部１と、情報（データ）を出力する出力部３が接続されている。出力部３は、例えば、ＬＣＤやＣＲＴ等のディスプレイや、プリンタ等の記録装置である。      
【００３３】
バス６にはプログラムメモリ４が接続され、プログラムメモリ４には、後述するフローチャートの処理手順や、ＣＰＵ２による制御のためのプログラムが格納される。プログラムメモリ４には、ＲＯＭや、外部記憶装置等からプログラムがロードされるＲＡＭ等が採用される。      
【００３４】
バス６にはデータメモリ５が接続され、データメモリ５は各種処理で生じたデータを格納する。データメモリ５は、例えばＲＡＭであり、不揮発な外部記憶媒体から、処理に先立ってデータがロードされ、あるいは必要に応じてデータが参照される。      
【００３５】
バス６においては、ＣＰＵ２の制御の対象とする各構成要素を指示するアドレス信号、各構成要素を制御するためのコントロール信号、各構成要素間で相互にやりとりされるデータを転送する。      
【００３６】
図２は、図１の情報処理装置で実行される全体処理の実施例１の流れを示すフローチャートである。      
【００３７】
図２において、情報処理装置の全体処理は以下の各ステップによって実行される。      
【００３８】
ステップＳ２０１：まず、イベント入力処理が実行され、ユーザーによる操作、発生したイベントが検知され、入力される。      
【００３９】
ステップＳ２０２：ステップＳ２０１に続いて、ステップＳ２０１の入力処理の種別を判別する。入力処理が「終了処理」のときはそのまま処理を終了し、入力処理が「カレンダ形式表示」のときはステップＳ２０３に進み、入力処理が「予定作成」のときはステップＳ２０４に進み、入力処理が「その他の入力処理」のときはステップＳ２０７に進む。      
【００４０】
ステップＳ２０３：各種データをカレンダ形式表示処理し、表示後に、ステップＳ２０１に戻る。      
【００４１】
ステップＳ２０４：ユーザーの操作に呼応して予定（スケジュール）のデータを生成し、ステップＳ２０５に進む。      
【００４２】
ステップＳ２０５：予定のデータをスケジュールデータベースに格納し、ステップＳ２０６に進む。      
【００４３】
ステップＳ２０６：処理情報格納処理により、予定に関連した処理情報を後述する処理情報データベースに格納し、その後、ステップＳ２０１に戻って、処理を繰り返す。      
【００４４】
ステップＳ２０７：その他の入力に対する個別処理を実行し、ステップＳ２０８に進む。      
【００４５】
ステップＳ２０８：処理情報格納処理を実行し、ステップＳ２０７の個別処理で行われた処理情報を後述する処理情報データベースに格納する。その後、ステップＳ２０１に戻り、処理を繰り返す。      
【００４６】
図３は、図２のカレンダ形式表示処理（ステップＳ２０３）の処理を示すフローチャートである。      
【００４７】
図３において、カレンダ形式表示処理は以下の各ステップによって実行される。      
【００４８】
ステップＳ３０１：カレンダ枠表示処理を実行し、図９〜図１６の各種表示形態でスケジュールデータを表示するためのカレンダ枠を表示する。      
【００４９】
ステップＳ３０２：ステップＳ３０１に続き、スケジュール取得処理を実行し、ステップＳ３０１で表示されたカレンダ枠内に表示すべきスケジュールデータを取得する。      
【００５０】
ステップＳ３０３：ステップＳ３０２に続き、ステップＳ３０２で取得したスケジュールデータをスケジュールデータ群の先頭に初期化する。      
【００５１】
ステップＳ３０４：ステップＳ３０３に続き、スケジュール表示処理を終了すべきか否か判断する。終了すべきときはステップＳ３０７に進み、終了すべきでないときはステップＳ３０５に進む。      
【００５２】
ステップＳ３０５：スケジュール表示処理を実行し、対象スケジュールデータをステップＳ３０１で表示されたカレンダ枠内の所定位置に表示する。      
【００５３】
ステップＳ３０６：ステップＳ３０５に続いて、スケジュールデータ群における対象スケジュールデータを１つ進め、ステップＳ３０４に戻って、処理を繰り返す。      
【００５４】
ステップＳ３０７：ステップＳ３０４でスケジュール表示処理終了と判断したときは、スケジュールデータ以外の処理情報取得処理を実行し、ステップＳ３０１で表示されたカレンダ枠内に表示すべき処理情報を取得する。      
【００５５】
ステップＳ３０８：ステップＳ３０７に続いて、表示対象の処理情報をステップＳ３０７で取得した処理情報群の先頭に初期化する。      
【００５６】
ステップＳ３０９：ステップＳ３０８に続いて、処理を終了すべきか否か判断する。終了すべきときはそのまま処理を終了し、終了すべきでないときはステップＳ３１０に進む。      
【００５７】
ステップＳ３１０：処理情報表示処理を実行し、スケジュール以外の処理情報を、前記カレンダ枠表示処理で表示された画面の所定位置（対応年月日時）に表示する。      
【００５８】
ステップＳ３１１：スケジュール以外の処理対象情報を１つ進めた後、ステップＳ３０９に戻り、処理を繰り返す。      
【００５９】
以上、全ての処理対象情報に対する処理を終了し、ステップＳ３０９で終了と判断された場合、処理を終了する。      
【００６０】
図４は、図２の処理情報表示処理（ステップＳ２０６）の処理を示すフローチャートである。      
【００６１】
図４において、処理情報表示処理は以下の各ステップによって実行される。      
【００６２】
ステップＳ４０１：まず処理情報表示形態作成処理を実行し、処理情報の表示形態を作成する。      
【００６３】
ステップＳ４０２：ステップＳ４０１に続いて、処理対象情報を該当する位置に表示する。      
【００６４】
図５は、図４の処理情報表示形態作成処理（ステップＳ４０１）の処理を示すフローチャートである。      
【００６５】
図５において、処理情報表示形態作成処理は以下の各ステップによって実行される。      
【００６６】
ステップＳ５０１：処理対象データ表示形態作成処理を実行し、処理対象情報に基いて表示形態を作成する。      
【００６７】
ステップＳ５０２：ステップＳ５０１の処理対象データ表示形態作成処理が成功したか否か判断する。成功であったときはそのまま処理を終了し、不成功であったときはステップＳ５０３に進む。      
【００６８】
ステップＳ５０３：処理対象データ種類表示形態作成処理を実行し、処理対象情報のデータの種類に応じた表示形態を作成する。その後処理を終了する。      
【００６９】
図６は、図５の処理対象データ種類表示形態作成処理（ステップＳ５０３）の処理を示すフローチャートである。      
【００７０】
図６において、処理対象データ種類表示形態作成処理は以下の各ステップによって実行される。      
【００７１】
ステップＳ６０１：まず、処理対象データ種類を後述するデータ種類対応表の先頭に初期化する。      
【００７２】
ステップＳ６０２：処理を終了すべきか否か判断する。処理を終了すべきときはステップＳ６０７に進み、終了すべきでないときはステップＳ６０３に進む。      
【００７３】
ステップＳ６０３：種類比較処理を実行し、処理対象情報のデータ種類をデータ種類対応表のデータ種類と比較する  ステップＳ６０４：データ種類対応表のデータ種類が処理対象情報のデータ種類に一致したか否かを判断する。種類一致と判断されたときはステップＳ６０６に進み、種類一致でなかったときはステップＳ６０５に進む。      
【００７４】
ステップＳ６０５：データ種類対応表において比較対象のデータ種類を１つ進めた後、ステップＳ６０２に戻り、処理を繰り返す。      
【００７５】
ステップＳ６０６：データ種類対応表のデータ種類に基いて表示形態を作成し、処理を終了する。      
【００７６】
ステップＳ６０７：ステップＳ６０３、Ｓ６０４のデータ種類の比較で、データ種類対応表に種類一致のデータ種類が存在しなかったときは、処理対象情報の種類不明の表示形態を作成し、あるいは処理対象情報のデータ種類表示形態作成処理（ステップＳ５０２）で取得した表示形態を採用して、処理を終了する。      
【００７７】
図７は、図３の処理情報取得処理（ステップＳ３０７）の対象となる処理情報データベースの一例を示すテーブルである。      
【００７８】
処理情報データベースに記憶される各処理情報データは、それぞれ時間（ｔｉｍｅ）、対象（ｏｂｊｅｃｔ）を持っており、処理情報取得処理により指定された時間帯の処理情報データが取得される。時間（ｔｉｍｅ）は年月日時の情報を含み、カレンダー表示における表示位置を特定し得る。      
【００７９】
図８は、図５の処理対象データ種類表示形態作成処理（ステップＳ５０３）で参照されるデータ種類対応表の一例を示す図である。データ種類対応表で定義されるデータは、それぞれ種類（ｋｉｎｄ）、対象（ｏｂｊｅｃｔ）を持っており、処理対象データ種類表示形態作成処理において、種類（ｋｉｎｄ）に対応した表示形態が選択される。      
【００８０】
図９〜図１６は、図２のカレンダ形式表示処理（ステップＳ２０３）で表示される画面の例を示す図である。      
【００８１】
図９は年間スケジュールの表示画面の一例であり、所定年度１年間の月ごとのカレンダが表示される。カレンダにおいて、スケジュールが存在する日および処理情報が存在する日にはマーク９Ａが表示される。図９では１１月１６日にスケジュールおよび処理情報が存在することが示される。      
【００８２】
図１０は月間スケジュールの表示画面の一例であり、所定の年月の各日をカレンダ形式で表示し、スケジュールが存在する日および処理情報が存在する日にスケジュール概要が表示される。図１０は１１月の月間スケジュールを示し、１６日に「課会」および「新人歓迎会」のスケジュールおよび処理情報１０Ａが存在する。      
【００８３】
図１１は週間スケジュールの表示画面の一例であり、所定月週の各日を水平２列の表に示し、スケジュールが存在する日および処理情報が存在する日に時間およびスケジュール概要が表示される。図１１は１１月の第３週のスケジュールを示し、１６日に１０：００の「課会」、１８：００の「新人歓迎会」のスケジュールおよび処理情報１１Ａが存在する。      
【００８４】
図１２は日間スケジュールの表示画面の一例であり、所定日の時間およびスケジュール概要と処理情報が表示される。図１２は１１月１６日のスケジュールを示し、１０：００に「課会」、１８：００に「新人歓迎会」のスケジュールおよび処理情報１２Ａが存在する。      
【００８５】
図１３は時間軸年間スケジュールの表示画面の一例であり、各月の日を水平１行に配列した表を上下に配列し、スケジュールが存在する日および処理情報が存在する日にマーク１３Ａが表示される。図１３では１１月１６日にスケジュールおよび処理情報が存在する。      
【００８６】
図１４は時間軸月間スケジュールの表示画面の一例であり、所定の年月の各日を水平１行に配列し、スケジュールが存在する日および処理情報が存在する日にスケジュール概要が表示される。図１４は２００１年１１月のスケジュールを示し、１６日に「課会」、１６日および１７日に「新人歓迎会」のスケジュールおよび処理情報１４Ａが存在する。      
【００８７】
図１５は時間軸週間スケジュールの表示画面の一例であり、所定月週の各日を水平１列、各日の時間を縦１列の表で示す。またスケジュールが存在する日、時間帯にスケジュール概要と処理情報１５Ａが表示される。      
【００８８】
図１６は時間軸日間スケジュールの表示画面の一例であり、所定日の時間およびスケジュール概要と処理情報が表示される
。図１６は１１月１６日のスケジュールを示し、１０：００〜１１：００に「課会」のスケジュールおよび「表」の処理情報が存在し、１３：００に「Ａ社プレゼン」のスケジュールおよび地図、新製品紹介、住所の処理情報が存在し、１５：００〜１６：００に「ショー見学」のスケジュールおよび画像の処理情報１６Ａが存在する。      
【００８９】
このように、実施例１は、ユーザーが行った操作、発生したイベント、予定等に対応した処理の情報を表示し、同時にスケジュールを表示することで、本来時間と関連付けられている操作および操作の対象となったデータを効率的に検索操作できる。
【実施例２】
【００９０】
次に、図１の情報処理装置で実行される処理の実施例２を図面に基いて説明する。
【００９１】
実施例２は、実施例１の表示に、処理情報の種類を合成表示する。
【００９２】
図１７は、実施例２における処理情報表示形態作成処理を示すフローチャートである。
【００９３】
図１７において、処理情報表示形態作成処理は図５のステップＳ５０１〜Ｓ５０３と同様のステップＳ１７０１〜Ｓ１７０３を実行した後に、以下の各ステップを実行する。      
【００９４】
ステップＳ１７０４：ステップＳ１７０２またはＳ１７０３に続いて、処理種類表示形態作成処理を実行し、処理対象情報のデータ種類に応じた表示形態を作成する。      
【００９５】
ステップＳ１７０５：ステップＳ１７０４に続いて、表示形態合成処理を実行し、処理種類表示形態作成処理（ステップＳ１７０４）で作成された表示形態と、処理対象データ種類表示形態作成処理（ステップＳ１７０３）で作成された表示形態とを合成する。      
【００９６】
なお、処理種類表示形態作成処理（ステップＳ１７０４）で表示形態取得が不成功のときは、処理対象データ種類表示形態作成処理（ステップＳ１７０３）で取得した表示形態を採用する。      
【００９７】
図１８は、実施例２において、処理情報取得処理（実施例１のステップＳ３０７と同様）の対象となる処理情報データベースの一例を示すテーブルである。処理情報データベースに記憶される各処理情報データは、それぞれ実施例１の時間（ｔｉｍｅ）および対象（ｏｂｊｅｃｔ）の他に種類（ｋｉｎｄ）を持っており、処理情報取得処理により指定された時間帯の処理情報データが取得される。      
【００９８】
図１９は、処理対象データ種類表示形態作成処理（ステップＳ１７０３）で参照されるデータ種類対応表の一例を示す図である。データ種類対応表で定義されるデータは、それぞれ種類（ｋｉｎｄ）、対象（ｏｂｊｅｃｔ）を持っており、処理対象データ種類表示形態作成処理により指定された種類に対応した表示形態が選択される。また各対象（ｏｂｊｅｃｔ）または種類（ｋｉｎｄ）に対応したアイコン１９Ａが付される。      
【００９９】
図２０は、実施例１の図１６に対応する、実施例２の時間軸日間スケジュールの表示画面の一例である。時間軸日間スケジュールには、実施例１と同様の時間帯ごとのスケジュール概要および処理情報の他に、処理の種類（ｋｉｎｄ）を表す表示（アイコン）１９Ａが付されている。      
【０１００】
実施例２は、実施例１の効果に加え、処理情報の種類（ｋｉｎｄ）を表示し得るという効果が得られる。
【実施例３】
【０１０１】
次に、図１の情報処理装置で実行される処理の実施例３を図面に基いて説明する。
【０１０２】
図２１は、実施例３における全体処理を示すフローチャートである。
【０１０３】
実施例２では、実施例１の処理に、処理の種類を表す表示形態を合成する処理を追加しているが、実施例３はカレンダ形式表示以外の表示形態を採用する。
【０１０４】
図２１において、実施例３の全体処理は以下の各ステップにより実行される。      
【０１０５】
ステップＳ２１０１：実施例１のステップＳ２０１と同様のイベント入力処理を実行し、ユーザーによる操作、発生したイベントが検知され、入力される。      
【０１０６】
ステップＳ２１０２：ステップＳ２１０１に続いて、ステップＳ２１０１の入力処理の種別を判別する。入力処理が「終了処理」のときはそのまま処理を終了し、入力処理が「処理情報一覧表示」のときはステップＳ２１０３に進み、入力処理が「その他の入力処理」のときはステップＳ２１０４に進む。      
【０１０７】
ステップＳ２１０３：処理情報一覧表示処理を実行し、処理情報を表示した後に、ステップＳ２１０１に戻り、処理を繰り返す。      
【０１０８】
ステップＳ２１０４、Ｓ２１０５：実施例１のステップＳ２０７と同様のステップＳ２１０４を実行した後、ステップＳ２０８と同様のステップＳ２１０５を実行する。これによって個別処理および処理情報の処理情報データベースへの格納が実行された後に、ステップＳ２１０１に戻り、処理を繰り返す。      
【０１０９】
図２２は、図２１の処理情報一覧表示処理（ステップＳ２１０３）の流れを示すフローチャートである。      
【０１１０】
図２２において、処理情報一覧表示処理は以下の各ステップによって実行される。      
【０１１１】
ステップＳ２２０１：処理情報取得処理を実行し、表示対象の処理情報を取得する。      
【０１１２】
ステップＳ２２０２：ステップＳ２２０１に続き、ステップＳ２２０１で取得した処理情報を処理情報群の先頭に初期化する。      
【０１１３】
ステップＳ２２０３：ステップＳ２２０２に続き、処理情報一覧表示処理を終了すべきか否か判断する。終了すべきときはそのまま処理を終了し、終了すべきでないときはステップＳ２２０４に進む。      
【０１１４】
ステップＳ２２０４：処理情報表示処理を実行し、表示対象の処理情報を所定位置に表示する。      
【０１１５】
ステップＳ２２０５：ステップＳ２２０４に続いて、処理情報群における表示対象データを１つ進め、ステップＳ２２０３に戻って、処理を繰り返す。      
【０１１６】
以上、全ての表示対象に対する処理を終了した結果、ステップＳ２２０３で終了と判断された場合、処理を終了する。      
【０１１７】
図２３は、図２２の処理情報一覧表示処理で表示される処理情報一覧表示画面の一例である。      
【０１１８】
図２３では、カレンダ形式ではなくアイコンの２次元配列表示が採用され、各処理情報には、実施例２と同様、処理種類のアイコンが合成されている。      
【０１１９】
実施例３は、アイコンの２次元配列によって、ユーザーが行った操作、発生したイベント、予定等に対応した処理の情報を、対象データと処理の種類を判別可能な形態で表示でき、操作および操作の対象となったデータを効率的に検索操作し得る。すなわちカレンダ形式以外の表示において、データの処理の種類を判別可能に表示し、かつデータ検索操作を効率的に実行し得る。
【実施例４】
【０１２０】
次に、図１の情報処理装置で実行される処理の実施例４を図面に基いて説明する。
【０１２１】
図２４は、実施例４における全体処理を示すフローチャートである。
【０１２２】
実施例４は、実施例２の処理に加え、表示対象の指定(限定)を可能とする。      
【０１２３】
図２４において、実施例４の全体処理は以下の各ステップによって実行される。      
【０１２４】
ステップＳ２４０１：実施例１のステップＳ２０１と同様のイベント入力処理を実行し、ユーザーによる操作、発生したイベントが検知され、入力される。      
【０１２５】
ステップＳ２４０２：ステップＳ２４０１に続いて、ステップＳ２４０１の入力処理の種別を判別する。実施例１のステップＳ２０２と同様に、入力処理が「終了処理」のときはそのまま処理を終了し、入力処理が「カレンダ形式表示」のときはステップＳ２４０３（実施例１のステップＳ２０３と同様）に進み、入力処理が「予定作成」のときはステップＳ２４０４〜Ｓ２４０６（実施例１のステップＳ２０４〜Ｓ２０６と同様）に進み、入力処理が「その他の入力処理」のときにはステップＳ２４０８、Ｓ２４０９（実施例１のステップＳ２０７、Ｓ２０８と同様）に進む。さらに実施例４は、入力処理が「処理種類指定」であったときの分岐が設けられ、ステップＳ２４０７に進む。      
【０１２６】
ステップＳ２４０４〜Ｓ２４０６、Ｓ２４０８、３５０９の処理は実施例１と同様であるので説明を省略する。      
【０１２７】
ステップＳ２４０３：各種データをカレンダ形式表示処理し、表示後に、ステップＳ２４０１に戻る。      
【０１２８】
ステップＳ２４０７：処理種類指定処理を実行し、表示対象となる処理の種類を指定する。その後、ステップＳ２４０１に戻り、処理を繰り返す。      
【０１２９】
図２５は、図２４のカレンダ形式表示処理（ステップＳ２４０３）の処理を示すフローチャートである。      
【０１３０】
図２５において、カレンダ形式表示処理は実施例１のステップＳ１３０１〜Ｓ３０８と同様のステップＳ２５０１〜Ｓ２５０８の実行の後に、以下の各ステップによって実行される。      
【０１３１】
ステップＳ２５０９：ステップＳ２５０８に続いて、処理を終了すべきか否か判断する。終了すべきときはそのまま処理を終了し、終了すべきでないときはステップＳ２５１０に進む。      
【０１３２】
ステップＳ２５１０：表示対象判定処理を実行し、表示対象が、処理種類指定処理（ステップＳ２４０７）で指定された表示対象か否かを判定する。      
【０１３３】
ステップＳ２５１１：ステップＳ２５１０において、指定された表示対象と判定されたか否か判断し、指定された表示対象であったときはステップＳ２５１２に進み、指定された表示対象でなかったときはステップＳ２５１３に進む。      
【０１３４】
ステップＳ２５１２：処理情報表示処理を実行し、スケジュール以外の処理対象情報を取得し、カレンダ枠表示処理（ステップＳ２４０３）で表示された画面の該当位置に表示する。      
【０１３５】
ステップＳ２５１３：スケジュール以外の処理対象情報を１つ進めた後、ステップＳ２５０９に戻り、処理を繰り返す。      
【０１３６】
以上、全ての処理対象情報に対する処理を終了した結果、ステップＳ２５０９で終了と判断された場合、処理を終了する。      
【０１３７】
図２６は、処理種類指定処理（ステップＳ２４０７）の処理を示すフローチャートである。      
【０１３８】
図２６において、処理種類指定処理は以下の各ステップによって実行される。      
【０１３９】
ステップＳ２６０１：操作入力処理を実行し、ユーザーによる操作を入力する。      
【０１４０】
ステップＳ２６０２：ステップＳ２６０１に続いて、操作入力の種別を判定する。操作入力が表示対象となる「処理種類の追加」の指示と判定されたときは、ステップＳ２６０３に進み、操作入力が表示表示対象となる「処理種類の削除」の指示と判定されたときはステップＳ２６０４に進み、操作入力が表示指定された「処理種類のＡＮＤ／ＯＲ切替え」の指示と判定されたときはステップＳ２６０５に進み、操作入力が表示指定された「処理種類のＮＯＴ」の指示と判定されたときはステップＳ２６０６に進む。      
【０１４１】
ステップＳ２６０３：処理種類追加処理を実行し、後述する処理種類指定情報に処理種類を追加する。      
【０１４２】
ステップＳ２６０４：処理種類削除処理を実行し、後述する処理種類指定情報から処理種類を削除する。      
【０１４３】
ステップＳ２６０５：ＡＮＤ／ＯＲ切替処理を実行し、後述する処理種類指定情報のＡＮＤ／ＯＲを切替える。すなわち、切替え前の状態がＡＮＤの場合ＯＲに、ＯＲの場合ＡＮＤに状態を切替える。      
【０１４４】
ステップＳ２６０６：ＮＯＴ切替処理を実行し、後述する処理種類指定情報のＮＯＴを切替える。すなわち、切替え前の状態が真（Ｔｒｕｅ）の場合偽（Ｆａｌｓｅ）に、偽（Ｆａｌｓｅ）の場合真（Ｔｒｕｅ）に状態を切替える。      
【０１４５】
図２７は、表示対象判定処理（ステップＳ２５１０）の処理を示すフローチャートである。      
【０１４６】
図２７において、表示対象判定処理は以下の各ステップによって実行される。      
【０１４７】
ステップＳ２７０１：後述する処理種類指定情報を参照し、ＯＲ指定状態か否か判断する。ＯＲ指定状態のときはステップＳ２７０３に進み、ＯＲ指定状態でない（ＡＮＤ指定状態）ときはステップＳ２７０２に進む。      
【０１４８】
ステップＳ２７０２：表示対象ＡＮＤ判定処理を実行し、後述する処理種類指定情報で指定された全ての処理種類を満たすかどうか判定する。      
【０１４９】
ステップＳ２７０３：表示対象ＯＲ判定処理を実行し、後述する処理種類指定情報で指定されたいずれかの処理種類を満たすか否かを判定する。      
【０１５０】
ステップＳ２７０４：ステップＳ２７０２またはＳ２７０３に続いて、後述する処理種類指定情報を参照し、ＮＯＴ指定状態か否かを判断する。ＮＯＴ指定状態であったときはステップＳ２７０５に進み、ＮＯＴ指定状態でなかったときはそのまま処理を終了する。      
【０１５１】
ステップＳ２７０５：判定結果反転処理を実行し、前述の判定結果を反転する。すなわち、表示対象と判定されている場合非対象とし、非対象の場合表示対象とする。その後、処理を終了する。      
【０１５２】
図２８は、表示対象ＡＮＤ判定処理（ステップＳ２７０２）の処理を示すフローチャートである。      
【０１５３】
図２８において、表示対象ＡＮＤ判定処理は以下の各ステップによって実行される。      
【０１５４】
ステップＳ２８０１：まず、対象を、後述する処理種類指定情報で指定されている処理種類リストの先頭に初期化する。      
【０１５５】
ステップＳ２８０２：表示対象ＡＮＤ判定処理を終了すべきか否か判断し、終了すべきときはステップＳ２８０６に進み、終了すべきでないときはステップＳ２８０３に進む。      
【０１５６】
ステップＳ２８０３：種類比較処理を実行し、処理の種類を処理種類指定情報を比較する。      
【０１５７】
ステップＳ２８０４：ステップＳ２８０３の比較の結果、表示対象処理が処理種類指定情報と一致していなかったときは、表示対象ではないと判断して、そのまま処理を終了する。処理の種類が処理種類指定情報と一致したときは、ステップＳ２８０５に進む。      
【０１５８】
ステップＳ２８０５：表示対象を１つ進め、ステップＳ２８０２に戻って、処理を繰り返す。      
【０１５９】
ステップＳ２８０６：後述する処理種類指定情報で指定されている処理種類リストの指定数が０か否か判断する。指定数が０と判断されたときは、表示対象は存在しないため、表示対象ではないと判断して処理を終了する。指定数が０でないと判断されたときは、指定された全ての種類が一致するので、表示対象と判断し、処理を終了する。      
【０１６０】
図２９は、表示対象ＯＲ判定処理（ステップＳ２７０３）の処理を示すフローチャートである。      
【０１６１】
図２９において、表示対象ＯＲ判定処理は以下の各ステップによって実行される。      
【０１６２】
ステップＳ２９０１：まず、表示対象を、後述する処理種類指定情報で指定されている処理種類リストの先頭に初期化する。      
【０１６３】
ステップＳ２９０２：表示対象ＯＲ判定処理を終了すべきか否か判断し、終了すべきときはそのまま処理を終了し、終了すべきでないときはステップＳ２９０３に進む。      
【０１６４】
ステップＳ２９０３：種類比較処理を実行し、処理の種類を処理種類指定情報と比較する。      
【０１６５】
ステップＳ２９０４：ステップＳ２９０３の比較の結果、処理が処理種類指定情報と一致していなかったときは、ステップＳ２９０５に進む。処理の種類が処理種類指定情報と一致したときは、表示対象と判断して、そのまま処理を終了する。      
【０１６６】
ステップＳ２９０５：対象を１つ進め、ステップＳ２９０２に戻り、処理を繰り返す。      
【０１６７】
以上、全ての対象に対する処理を終了した結果、ステップＳ２９０２で終了と判断された場合、表示対象は存在しない為、表示対象ではないと判断して処理を終了する。      
【０１６８】
図３０は、図２５の処理情報取得処理（ステップＳ２５０７）の対象となる処理情報データベースの一例を示すテーブルである。      
【０１６９】
処理情報データベースに記憶される各処理情報データは、それぞれ時間（ｔｉｍｅ）、種類（ｋｉｎｄ）、対象（ｏｂｊｅｃｔ）を持っており、処理情報取得処理により指定された時間帯の処理情報データが取得される。なお、実施例２の図１８の処理情報データベースの種類（ｋｉｎｄ）には、それぞれ１個の種類が格納されていたが、実施例４では複数の種類が格納されている。      
【０１７０】
図３１、図３３、図３５、図３７、図３９は、実施例４において、前記処理種類指定処理および前記表示対象判定処理で対象となる、処理種類指定情報の一例である。各処理種類指定情報は、ＮＯＴ種別、ＡＮＤ／ＯＲ種別、処理種類リストから構成されている。      
【０１７１】
また、図３２、図３４、図３６、図３８、図４０は、実施例４において、前記処理種類指定処理での指定した様子と、対応する前記カレンダ形式表示処理の表示結果の一例を示した図である。各画面には、ＮＯＴ種別、ＡＮＤ／ＯＲ種別、処理種類を指定するための操作手段と、指定された条件に適合する処理情報の一覧が表示されている。      
【０１７２】
図３１は、図３２で示した操作画面上に表示されている全ての処理種類を、ＯＲ指定した場合の処理種類指定情報の一例である。      
【０１７３】
図３１において、処理種類指定情報が持つＮＯＴ種別はＦａｌｓｅに設定され、ＡＮＤ／ＯＲ種別はＯＲに設定され、処理種類リストには全ての処理種類が格納されている。      
【０１７４】
図３２においては、処理種類指定情報３２１〜３２９がアイコン表示されるとともに、時間軸日間スケジュールにおいて表示対象時間帯の全てのスケジュールおよび処理情報３２Ｂが所定位置に表示される。      
【０１７５】
処理種類指定情報アイコンは、「ＮＯＴ種別」を示すアイコン３２１、「Ｃｒｅａｔｅ」を示すアイコン３２２、「Ｕｐｄａｔｅ」を示すアイコン３２３、「Ａｌａｒｍ」を示すアイコン３２４、「Ｐｒｅｓｅｎｔ」を示すアイコン３２５、「Ｃａｍｅｒａ」を示すアイコン３２６、「Ｓｅｎｄ」を示すアイコン３２７、「Ｒｅｃｅｉｖｅ」を示すアイコン３２８、「ＡＮＤ／ＯＲ種別」を示すアイコン（ラジオボタン）３２９が表示される。アイコン３２１〜３２８は、その設定が有効な状態では、押された状態の陰影（全周に影が付される。）が付され、無効のときは押されていない状態の陰影（右辺および下辺に影が付される。）が付される。      
【０１７６】
図３２ではＮＯＴ種別は無効、処理種類指定情報アイコン３２２〜３２９は全て有効、ＡＮＤ／ＯＲ種別はＯＲである。      
【０１７７】
図３３は、図３４で示した操作画面上に表示されている処理種類を、１つも指定しなかった場合の処理種類指定情報の一例である。      
【０１７８】
図３３において、処理種類指定情報が持つＮＯＴ種別はＦａｌｓｅに設定され、ＡＮＤ／ＯＲ種別
はＯＲに設定され、処理種類リストには１つも処理種類が格納されていない。      
【０１７９】
その結果、図３４において、処理情報が１つも表示されていない。      
【０１８０】
また、図３４の処理種類指定情報アイコンは、ＮＯＴ種別が無効、処理種類指定情報アイコン３２２〜３２９が全て無効、ＡＮＤ／ＯＲ種別がＯＲである。      
【０１８１】
図３５は、図３６で示した操作画面上に表示されているＡｌａｒｍとＰｒｅｓｅｎｔの処理種類を、ＯＲ指定した場合の処理種類指定情報の一例である。      
【０１８２】
図３５において、処理種類指定情報が持つＮＯＴ種別はＦａｌｓｅに設定され、ＡＮＤ／ＯＲ種別はＯＲに設定され、処理種類リストにはＡｌａｒｍとＰｒｅｓｅｎｔの処理種類が格納されている。      
【０１８３】
その結果、図３６において、表示対象時間帯のＡｌａｒｍとＰｒｅｓｅｎｔの処理情報が該当する位置に表示されている。      
【０１８４】
また、図３６の処理種類指定情報アイコンは、ＮＯＴ種別は無効、アイコン３２２、３２３、３２６〜３２８が無効、アイコン３２４、３２５が有効、ＡＮＤ／ＯＲ種別がＯＲである。      
【０１８５】
図３７は、図３８で示した操作画面上に表示されているＣａｍｅｒａとＳｅｎｄの処理種類を、ＡＮＤ指定した場合の処理種類指定情報の一例である。      
【０１８６】
図３７において、処理種類指定情報が持つＮＯＴ種別はＦａｌｓｅに設定され、ＡＮＤ／ＯＲ種別はＡＮＤに設定され、処理種類リストにはＣａｍｅｒａとＳｅｎｄの処理種類が格納されている。      
【０１８７】
その結果、図３８において、表示対象時間帯のＣａｍｅｒａとＳｅｎｄの処理種類を同時に満たす処理情報が該当する位置に表示されている。      
【０１８８】
また、図３８の処理種類指定情報アイコンは、ＮＯＴ種別は無効、アイコン３２２〜３２５、３２８が無効、アイコン３２６、３２７が有効、ＡＮＤ／ＯＲ種別がＯＲである。      
【０１８９】
図３９および図４０は、図３７および図３８の指定状態で、ＮＯＴを指示した状態を示している。すなわち、図４０は、図３８で示した操作画面上に表示されているＣａｍｅｒａとＳｅｎｄの処理種類をＡＮＤ指定した状態で、ＮＯＴを指示したことで、ＣａｍｅｒａとＳｅｎｄの処理種類をＡＮＤ指定した状態で表示されていた以外の処理情報が表示されている。      
【０１９０】
図３９において、処理種類指定情報が持つＮＯＴ種別はＴｒｕｅに設定され、ＡＮＤ／ＯＲ種別はＡＮＤに設定され、処理種類リストにはＣａｍｅｒａとＳｅｎｄの処理種類が格納されている。      
【０１９１】
その結果、図４０において、表示対象時間帯のＣａｍｅｒａとＳｅｎｄの処理種類を同時に満たす処理情報以外が該当する位置に表示されている。      
【０１９２】
また、図４０の処理種類指定情報アイコンは、ＮＯＴ種別は有効、アイコン３２２〜３２５、３２８が無効、アイコン３２６、３２７が有効、ＡＮＤ／ＯＲ種別がＯＲである。      
【０１９３】
このように、実施例４は、ユーザーが行った操作、発生したイベント、予定等に対応した処理の情報を、ユーザーの設定した条件で抽出し、処理種類が明らかな形態で表示し得る。操作および操作の対象となったデータを効率的に検索操作でき、また操作性が極めて高い。      
【０１９４】
なお、本発明は図１の情報処理装置のように、一つの機器からなる装置（例えば、複写機、ファクシミリ装置など）に適用されるばかりでなく、複数の機器（例えばホストコンピュータ、インタフェース機器、リーダ、プリンタなど）から構成されるシステムに適用することも可能である。      
【０１９５】
また、本発明の目的は、前述した実施例の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。      
【０１９６】
この場合、記憶媒体から読出されたプログラムコード自体が前述した実施例の機能を実現することになり、そのプログラムコードを記憶した記憶媒体は本発明を構成することになる。      
【０１９７】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。      
【０１９８】
また、コンピュータが読出したプログラムコードを実行することにより、前述した実施例の機能が実現されるだけでなく、そのプログラムコードの指示に基づき、コンピュータ上で稼働しているＯＳ（オペレーティングシステム）などが実際の処理の一部または全部を行い、その処理によって前述した実施例の機能が実現される場合も含まれることは言うまでもない。      
【０１９９】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施例の機能が実現される場合も含まれることは言うまでもない。      
【０２００】
本発明を上記記憶媒体に適用する場合、その記憶媒体には、先に説明した図に示すフローチャートに対応するプログラムコードが格納されることになる。
【図面の簡単な説明】
【０２０１】
【図１】本発明に係る情報処理装置の実施例１のハードウェア構成を示すブロック図である。（実施例１）
【図２】実施利１における全体処理を示すフローチャートである。（実施例１）
【図３】実施例１におけるカレンダ形式表示処理を示すフローチャートである。（実施例１）
【図４】実施例１における処理情報表示処理を示すフローチャートである。（実施例１）
【図５】実施例１における処理情報表示形態作成処理を示すフローチャートである。（実施例１）
【図６】実施例１における処理対象データ種類表示形態作成処理を示すフローチャートである。（実施例１）
【図７】実施例１における処理情報データベースを示す図である。（実施例１）
【図８】実施例１におけるデータ種類対応表を示す図である。（実施例１）
【図９】実施例１における年間スケジュール画面を示す図である。（実施例１）
【図１０】実施例１における月間スケジュール画面を示す図である。（実施例１）
【図１１】実施例１における週間スケジュール画面を示す図である。（実施例１）
【図１２】実施例１における日間スケジュール画面を示す図である。（実施例１）
【図１３】実施例１における時間軸年間スケジュール画面を示す図である。（実施例１）
【図１４】実施例１における時間軸月間スケジュール画面を示す図である。（実施例１）
【図１５】実施例１における時間軸週間スケジュール画面を示す図である。（実施例１）
【図１６】実施例１における時間軸日間スケジュール画面を示す図である。（実施例１）
【図１７】実施例２における処理情報表示形態作成処理を示すフローチャートである。（実施例２）
【図１８】実施例２における処理情報データベースを示す図である。（実施例２）
【図１９】実施例２における処理種類対応表を示す図である。（実施例２）
【図２０】実施例２における時間軸日間スケジュール画面を示す図である。（実施例２）
【図２１】実施例３における全体処理を示すフローチャートである。（実施例３）
【図２２】実施例３における処理情報一覧表示処理を示すフローチャートである。（実施例３）
【図２３】実施例３における処理情報一覧画面を示す図である。（実施例３）
【図２４】実施例４における全体処理を示すフローチャートである。（実施例４）
【図２５】実施例４におけるカレンダ形式表示処理を示すフローチャートである。（実施例４）
【図２６】実施例４における処理種類指定処理を示すフローチャートである。（実施例４）
【図２７】実施例４における表示対象判定処理を示すフローチャートである。（実施例４）
【図２８】実施例４における表示対象ＡＮＤ判定処理を示すフローチャートである。（実施例４）
【図２９】実施例４における表示対象ＯＲ判定処理を示すフローチャートである。（実施例４）
【図３０】実施例４における処理情報データベースを示す図である。（実施例４）
【図３１】実施例４における処理種類指定情報を示す図である。（実施例４）
【図３２】実施例４における時間軸日間スケジュール画面を示す図である。（実施例４）
【図３３】実施例４における処理種類指定情報を示す図である。（実施例４）
【図３４】実施例４における時間軸日間スケジュール画面を示す図である。（実施例４）
【図３５】実施例４における処理種類指定情報を示す図である。（実施例４）
【図３６】実施例４における時間軸日間スケジュール画面を示す図である。
【図３７】実施例４における処理種類指定情報を示す図である。（実施例４）
【図３８】実施例４における時間軸日間スケジュール画面を示す図である。（実施例４）
【図３９】実施例４における処理種類指定情報を示す図である。（実施例４）
【図４０】実施例４における時間軸日間スケジュール画面を示す図である。（実施例４）
【図４１】従来の情報処理装置におけるカレンダ形式表示処理を示すフローチャートである。
【図４２】従来の情報処理装置におけるスケジュールデータベースを示す図である。
【図４３】従来の情報処理装置における年間スケジュール画面を示す図である。
【図４４】従来の情報処理装置における月間スケジュール画面を示す図である。
【図４５】従来の情報処理装置における週間スケジュール画面を示す図である。
【図４６】従来の情報処理装置における日間スケジュール画面を示す図である。
【図４７】従来の情報処理装置における時間軸年間スケジュール画面を示す図である。
【図４８】従来の情報処理装置における時間軸月間スケジュール画面を示す図である。
【図４９】従来の情報処理装置における時間軸週間スケジュール画面を示す図である。
【図５０】従来の情報処理装置における時間軸日間スケジュール画面を示す図である。
【符号の説明】
【０２０２】
１  入力部
２  ＣＰＵ
３  出力部
４  プログラムメモリ
５  データメモリ
６  バス
【図１】
2005275833.tif 000003
【図２】
2005275833.tif 000004
【図３】
2005275833.tif 000005
【図４】
2005275833.tif 000006
【図５】
2005275833.tif 000007
【図６】
2005275833.tif 000008
【図７】
2005275833.tif 000009
【図８】
2005275833.tif 000010
【図９】
2005275833.tif 000011
【図１０】
2005275833.tif 000012
【図１１】
2005275833.tif 000013
【図１２】
2005275833.tif 000014
【図１３】
2005275833.tif 000015
【図１４】
2005275833.tif 000016
【図１５】
2005275833.tif 000017
【図１６】
2005275833.tif 000018
【図１７】
2005275833.tif 000019
【図１８】
2005275833.tif 000020
【図１９】
2005275833.tif 000021
【図２０】
2005275833.tif 000022
【図２１】
2005275833.tif 000023
【図２２】
2005275833.tif 000024
【図２３】
2005275833.tif 000025
【図２４】
2005275833.tif 000026
【図２５】
2005275833.tif 000027
【図２６】
2005275833.tif 000028
【図２７】
2005275833.tif 000029
【図２８】
2005275833.tif 000030
【図２９】
2005275833.tif 000031
【図３０】
2005275833.tif 000032
【図３１】
2005275833.tif 000033
【図３２】
2005275833.tif 000034
【図３３】
2005275833.tif 000035
【図３４】
2005275833.tif 000036
【図３５】
2005275833.tif 000037
【図３６】
2005275833.tif 000038
【図３７】
2005275833.tif 000039
【図３８】
2005275833.tif 000040
【図３９】
2005275833.tif 000041
【図４０】
2005275833.tif 000042
【図４１】
2005275833.tif 000043
【図４２】
2005275833.tif 000044
【図４３】
2005275833.tif 000045
【図４４】
2005275833.tif 000046
【図４５】
2005275833.tif 000047
【図４６】
2005275833.tif 000048
【図４７】
2005275833.tif 000049
【図４８】
2005275833.tif 000050
【図４９】
2005275833.tif 000051
【図５０】
2005275833.tif 000052